(57)【要約】【課題】消弧室の小形化とコストの低減とを図ることができるようにした細隙消弧型の気中開閉器を提供する。【解決手段】固定電極１３と、投入位置と開路位置との間を円弧状通路に沿って回動させられる可動電極１８と、固定電極１３の外側に該固定電極に添わせた状態で配置された接圧バネ１４と、固定電極の近傍に配置されたアークホーン１５と、固定電極１３を接圧バネ１４及びアークホーン１５と共に収容するケース部分１６Ａと可動電極の円弧状通路に沿って配置された消弧部１６Ｂとを有する消弧室１６とを備えた細隙消弧型気中開閉器であって、アークホーン１５を、接圧バネ１４に支持させた。【選択図】    図１
2011065925.tif 000002
【特許請求の範囲】
【請求項１】
支持碍子に保持された固定電極と、前記固定電極に接触した状態になる投入位置と前記固定電極から離れた状態になる開路位置との間を円弧状通路に沿って回動させられる可動電極と、前記固定電極と可動電極との接触圧力を得るために前記固定電極に添わせた状態で該固定電極の外側に配置されて該固定電極を付勢する接圧バネと、前記可動電極を固定電極から切り離した際に両電極間に発生したアークの固定電極側の脚部を移行させるために固定電極の近傍に配置されたアークホーンと、前記固定電極を前記接圧バネ及びアークホーンと共に収容するケース部分と前記可動電極の円弧状通路に沿って配置された細隙消弧部とを有する消弧室とを備えた細隙消弧型気中開閉器において、
前記アークホーンは、前記接圧バネに固定されて支持されていること、
を特徴とする細隙消弧型気中開閉器。
【請求項２】
前記アークホーンは、前記接圧バネの先端に溶接された板状または棒状のアークホーン形成部材からなっていること、
を特徴とする請求項１に記載の細隙消弧型気中開閉器。
【請求項３】
前記接圧バネの先端に一体に形成されて折り曲げられることにより前記固定電極と反対側に起立させられた板状のアークホーン形成部により前記アークホーンが形成されていること、
を特徴とする請求項１に記載の細隙消弧型気中開閉器。
【請求項４】
前記固定電極は、対向配置された一対の板状の電極片を有して、該一対の電極片の先端がそれぞれ内側に折り返されることにより前記可動電極が接触する一対の接点部が形成された構成を有し、
前記可動電極は、前記固定電極の一対の接点部の間に挿入された状態で前記固定電極に接触する刃形の電極からなり、
前記接圧バネは、前記支持碍子に対して固定されて前記固定電極の一対の電極片の外面に添わせて配置された一対の板状のバネ片を有し、
前記細隙消弧部は前記可動電極の円弧状通路の外周側に配置され、
前記アークホーンは、前記可動電極の円弧状通路の外周側に片寄せて前記接圧バネの一方のバネ片の先端に溶接された板状または棒状のアークホーン形成部材により構成されていることを特徴とする請求項１に記載の細隙消弧型気中開閉器。
【請求項５】
前記固定電極は、対向配置された一対の板状の電極片を有して、該一対の電極片の先端がそれぞれ内側に折り返されることにより前記可動電極が接触する一対の接点部が形成された構成を有し、
前記可動電極は、前記固定電極の一対の接点部の間に挿入された状態で前記固定電極に接触する刃形の電極からなり、
前記接圧バネは、前記支持碍子に対して固定されて前記固定電極の一対の電極片の外面に添わせて配置された一対の板状のバネ片を有し、
前記細隙消弧部は前記可動電極の円弧状通路の外周側に配置され、
前記アークホーンは、前記可動電極の円弧状通路の外周側に片寄せて前記接圧バネの一方のバネ片の先端に一体に形成されて、前記固定電極と反対側に折り曲げられて起立させられた板状のアークホーン形成部からなっていることを特徴とする請求項１に記載の細隙消弧型気中開閉器。
【請求項６】
前記固定電極は、対向配置された一対の板状の電極片を有して、該一対の電極片の先端がそれぞれ内側に折り返されることにより前記可動電極が接触する一対の接点部が形成された構成を有し、
前記可動電極は、前記固定電極の一対の接点部の間に挿入された状態で前記固定電極に接触する刃形の電極からなり、
前記接圧バネは、前記支持碍子に対して固定されて前記固定電極の一対の電極片の外面に添わせて配置された一対の板状のバネ片を有し、
前記細隙消弧部は前記可動電極の円弧状通路の外周側に配置され、
前記アークホーンは、前記固定電極の幅方向に沿って伸びるように設けられて前記接圧バネの一方のバネ片の先端に溶接された板状または棒状のアークホーン形成部材からなっていることを特徴とする請求項１に記載の細隙消弧型気中開閉器。
【請求項７】
前記固定電極は、対向配置された一対の板状の電極片を有して、該一対の電極片の先端がそれぞれ内側に折り返されることにより前記可動電極が接触する一対の接点部が形成された構成を有し、
前記可動電極は、前記固定電極の一対の接点部の間に挿入された状態で前記固定電極に接触する刃形の電極からなり、
前記接圧バネは、前記支持碍子に対して固定されて前記固定電極の一対の電極片の外面に添わせて配置された一対の板状のバネ片を有し、
前記細隙消弧部は前記可動電極の円弧状通路の外周側に配置され、
前記アークホーンは、前記固定電極の幅方向に沿って伸びるようにして前記接圧バネの一方のバネ片の先端に一体に設けられて前記固定電極と反対側に折曲げられて起立させられた板状のアークホーン形成部からなっていることを特徴とする請求項１に記載の細隙消弧型気中開閉器。
【発明の詳細な説明】
【技術分野】
【０００１】
本発明は、細隙消弧型の消弧機構を備えた気中開閉器に関するものである。
【背景技術】
【０００２】
高圧配電線路や特別高圧配電線路に用いる開閉器として、特許文献１や特許文献２に示されている細隙消弧型の気中開閉器が用いられている。細隙消弧型の気中開閉器は、支持碍子に保持された固定電極と、固定電極に接触した状態になる投入位置と固定電極から離れた状態になる開路位置との間を円弧状通路に沿って回動させられる可動電極と、固定電極と可動電極との接触圧力を得るために固定電極に添わせた状態で該固定電極の外側に配置されて該固定電極を付勢する接圧バネと、可動電極を固定電極から切り離した際に両電極間に発生したアークの固定電極側の脚部を移行させるために固定電極の近傍に配置されたアークホーンと、固定電極を接圧バネ及びアークホーンと共に収容するケース部分と可動電極の円弧状通路に沿って配置された細隙消弧部とを有する消弧室とを備えている。アークホーンは、固定電極がアークにより溶損するのを防ぐために設けられている。
【０００３】
図６（Ａ），（Ｂ）は、特許文献１に示された細隙消弧型の気中開閉器の要部を示したものである。これらの図において、１は固定電極を支持する支持碍子、２は、支持碍子１に支持された固定電極、３は刃形の可動電極である。可動電極３は、図示しない操作機構により操作されて、固定電極２に接触した状態になる投入位置と、固定電極２から所定の絶縁距離を隔てた状態になる開路位置との間を円弧状通路に沿って変位させられる。４は固定電極２を可動電極３に十分な接圧をもって接触させるために固定電極２の外側に密接して配置されて固定電極２を可動電極側に付勢する接圧バネである。また５は支持碍子１に支持されたアークホーン支持部材、６は固定電極２の溶損を防ぐために固定電極２の先端部付近に位置させてアークホーン支持部材５にネジ止めされたアークホーンである。アークホーン支持部材５は導電材料からなっていて、固定電極２に電気的に接続されている。アークホーン６は耐弧メタルからなっていて、アークホーン支持部材５を通して固定電極２に電気的に接続されている。図６には示されてないが、支持碍子１には、固定電極２を接圧バネ及びアークホーンとともに収容するように形成されたケース部分と、該ケース部分の上部に形成された消弧部とを有する消弧室が支持される。消弧室の上部に設けられる消弧部は、アークが接触した際に消弧性のガスを発生する絶縁樹脂からなっていて、固定電極２に接離する可動電極３を通過させる大きさの狭間隙状の円弧状通路と、この通路に連通した細隙部とを有している。
【０００４】
図６に示された開閉器においては、可動電極３が固定電極２から離れた際に両電極間に発生したアークＡの固定電極側の脚部が固定電極２からアークホーン６に移行する。アークホーン６に移行したアークは、可動電極３が固定電極２から離れるに従って引き延ばされて、図示しない細隙消弧部の細隙部内に引込まれ、該細隙部内で発生した消弧性のガスにより冷却されて消滅させられる。
【０００５】
特許文献２に示された開閉器もアークホーンを備えているが、特許文献１に示された開閉器では、アークホーンが固定電極を囲むように形成され、該アークホーンの可動電極側の端部には、可動電極を出入りさせるための開口部が設けられている。可動電極は、アークホーンの開口部を通して固定電極に接触する動作と、該固定電極から離脱する動作とを行う。
【先行技術文献】
【特許文献】
【０００６】
【特許文献１】特開２００９-８７６６８号公報
【特許文献２】特開２０００-１７３４１２号公報
【発明の概要】
【発明が解決しようとする課題】
【０００７】
特許文献１に示された気中開閉器（図６参照）では、アークホーンを支持するためにアークホーン支持部材５を設けて、このアークホーン支持部材にアークホーン６をネジ止めしていたため、消弧室のケース部分（固定電極を接圧バネ及びアークホーンと共に収容する部分）が大型になり、開閉器が大型化するという問題があった。また開閉器を組み立てる際にアークホーン支持部材の取り付けと、アークホーンのネジ止めとを行う必要があるため、組立の工数が多くなり、製造コストが高くなるのを避けられなかった。
【０００８】
また特許文献２に示された開閉器でも、固定電極を囲むようにアークホーンを形成していたため、消弧室のケース部分が大型になり、開閉器が大型になるという問題があった。
【０００９】
本発明の目的は、消弧室の小形化とコストの低減とを図ることができるようにした細隙消弧型の気中開閉器を提供することにある。
【課題を解決するための手段】
【００１０】
本発明は、支持碍子に保持された固定電極と、前記固定電極に接触した状態になる投入位置と前記固定電極から離れた状態になる開路位置との間を円弧状通路に沿って回動させられる可動電極と、前記固定電極と可動電極との接触圧力を得るために前記固定電極に添わせた状態で該固定電極の外側に配置されて該固定電極を付勢する接圧バネと、前記可動電極を固定電極から切り離した際に両電極間に発生したアークの固定電極側の脚部を移行させるために固定電極の近傍に配置されたアークホーンと、前記固定電極を前記接圧バネ及びアークホーンと共に収容するケース部分と前記可動電極の円弧状通路に沿って配置された細隙消弧部とを有する消弧室とを備えた細隙消弧型気中開閉器を対象とする。
【００１１】
本発明においては、アークホーンを支持するために特別の支持部材を設けることなく、アークホーンを、開閉器の必須の構成要素である接圧バネに固定するようにした。
【００１２】
上記のように構成すると、アークホーンを支持するための支持部材を特別に設ける必要がなく、またアークホーン自体はアークの脚部を保持するために必要最小限の大きさを有していればよいため、固定電極を接圧バネ及びアークホーンと共に収容する消弧室のケース部分を小形に構成することができ、細隙消弧形気中開閉器の小形化を図ることができる。
【００１３】
本発明の好ましい態様では、アークホーンが、接圧バネの先端に溶接された板状または棒状のアークホーン形成部材により形成される。
【００１４】
上記のように構成すると、接圧バネを製作する際にアークホーンを接圧バネに取り付けておくことができ、開閉器を組み立てる際にアークホーンをネジ止めする作業を必要としないため、開閉器の組立工数の削減を図って、製造コストの低減を図ることができる。
【００１５】
本発明の他の好ましい態様では、接圧バネの先端に一体に形成されて折り曲げられることにより固定電極と反対側に起立させられた板状のアークホーン形成部によりアークホーンが形成される。
【００１６】
上記のように構成すると、接圧バネを製造する際にアークホーンを形成することができるため、開閉器を組み立てる際にアークホーンをネジ止めする作業を必要としないため、開閉器の組立工数の削減を図って、製造コストの低減を図ることができる。
【００１７】
本発明が対象とする気中開閉器では、通常、固定電極が、対向配置された一対の板状の電極片を有して、該一対の電極片の先端がそれぞれ内側に折り返されることにより可動電極が接触する一対の接点部が形成された構成を有し、可動電極は、固定電極の一対の接点部の間に挿入された状態で固定電極に接触する刃形の電極により構成される。また接圧バネは、支持碍子に対して固定されて固定電極の一対の電極片の外面に添わせて配置された一対の板状のバネ片を有し、細隙消弧部は可動電極の円弧状通路の外周側に配置される。
【００１８】
開閉器が上記のような基本構成を有する場合、アークホーンは、可動電極の円弧状通路の外周側に片寄せて接圧バネの一方のバネ片の先端に溶接された板状または棒状のアークホーン形成部材により構成することができる。
【００１９】
開閉器が上記のような基本構成を有する場合、アークホーンはまた、可動電極の円弧状通路の外周側に片寄せて接圧バネの一方のバネ片の先端に一体に形成されて、固定電極と反対側に折り曲げられて起立させられた板状のアークホーン形成部により構成することができる。
【００２０】
また開閉器が上記のような基本構成を有する場合、アークホーンは、固定電極の幅方向に沿って伸びるように設けられて接圧バネの一方のバネ片の先端に溶接された板状または棒状のアークホーン形成部材により構成することができる。
【００２１】
開閉器が上記のような基本構成を有する場合、アークホーンは、固定電極の幅方向に沿って伸びるようにして接圧バネの一方のバネ片の先端に一体に設けられて固定電極と反対側に折曲げられて起立させられた板状のアークホーン形成部により構成することもできる。
【発明の効果】
【００２２】
本発明によれば、アークホーンを、開閉器の必須の構成要素である接圧バネに固定するようにしたので、アークホーンを支持するための支持部材を特別に設ける必要がなく、またアークホーン自体はアークの脚部を保持するために必要最小限の大きさを有していればよいため、固定電極を接圧バネ及びアークホーンと共に収容する消弧室のケース部分を小形に構成することができ、細隙消弧形気中開閉器の小形化を図ることができる。
【００２３】
本発明において、アークホーンを接圧バネの先端に溶接により取り付けるようにした場合には、接圧バネを製造する段階でアークホーンを取り付けることができ、開閉器を組み立てる際にアークホーンをネジ止めする作業を必要としないため、開閉器の組立工数の削減を図って、製造コストの低減を図ることができる。
【００２４】
本発明において、接圧バネの先端に一体に形成されて折り曲げられることにより固定電極と反対側に起立させられたアークホーン形成部によりアークホーンを構成するようにした場合にも、接圧バネを製造する段階でアークホーンを形成することができ、開閉器を組み立てる際にアークホーンをネジ止めする作業を必要としないため、開閉器の組立工数の削減を図って、製造コストの低減を図ることができる。
【図面の簡単な説明】
【００２５】
【図１】（Ａ）は本発明の第１の実施形態に係わる細隙消弧型気中開閉器の要部の構成を一部断面して示した正面図である。（Ｂ）は（Ａ）の上面図である。
【図２】（Ａ）は図１に示した気中開閉器で用いる固定電極側のユニットを、図１（Ａ）を左側から見て示した側面図、（Ｂ）は（Ａ）を上方から見て示した端面図である。
【図３】（Ａ）は本発明の第２の実施形態で用いる接圧バネの側面図、（Ｂ）は（Ａ）の上面図、（Ｃ）は同接圧バネのアークホーン形成部を折曲げる前の状態を示した上面図である。
【図４】（Ａ）は本発明の第３の実施形態の要部を示す正面図、（Ｂ）は（Ａ）の右側面図である。
【図５】本発明の第４の実施形態の要部を示す側面図である。
【図６】（Ａ）は従来の細隙消弧型気中開閉器の要部の構成を一部断面して示した正面図、（Ｂ）は（Ａ）の左側面図である。
【発明を実施するための形態】
【００２６】
以下図面を参照して本発明の好ましい実施形態を説明する。
（第１の実施形態）    
図１（Ａ），（Ｂ）及び図２（Ａ），（Ｂ）は本発明の第１の実施形態の要部の構成を示したもので、これらの図において、１０は図示しない開閉器のケースの底部に固定される取付金具、１１は一端が取付金具１０にボルト１０ａで固定された支持碍子、１２は支持碍子１１の他端に配置された支持板である。支持板１２には、固定電極１３と、接圧バネ１４とが取り付けられ、接圧バネ１４にアークホーン１５が支持されている。支持板１２にはまた、消弧室１６と、強磁性体からなるアーク誘導部材１７とが取り付けられている。１８はレの字形に形成されて先端に接点部１８ａを有する刃型の可動電極で、この可動電極は、図示しない操作機構により操作されて、その接点部１８ａが固定電極１３に接触した状態になる投入位置と、接点部１８ａが固定電極１３から離れて消弧室１５から離脱した状態になる開路位置との間を円弧状通路に沿って回動変位させられる。この開閉器においては、支持碍子１１，固定電極１３，接圧バネ１４，アークホーン１５，消弧室１６及びアーク誘導部材１７により固定電極側ユニットが構成され、可動電極１８とこの可動電極を操作する図示しない操作機構とにより可動電極側ユニットが構成されている。
【００２７】
図２に示されているように、固定電極１３は、矩形状の底板部１３ａと、底板部１３ａの相対する２辺から同じ側に起立した一対の板状の電極片１３ｂ，１３ｂとを一体に有し、一対の電極片１３ｂ，１３ｂの先端がそれぞれ内側に折り返されることにより、可動電極１８が接触する一対の接点部１３ｃ，１３ｃが形成されている。固定電極１３は、銅などの導電率が高い金属により形成されている。
【００２８】
接圧バネ１４は、矩形状の基板部１４ａと、基板部１４ａの相対する２辺から同じ側に起立した一対の板状のバネ片１４ｂ，１４ｂとを一体に有し、基板部１４ａ及びバネ片１４ｂ，１４ｂがそれぞれ固定電極１３の底板部１３ａ及び電極片１３ｂ，１３ｂの外面に添わせた状態で配置されている。図示の例では、一対のバネ片１４ｂ，１４ｂの先端を互いに相手側に向くように折り曲げることにより、接圧バネ１４の先端部に、固定電極１３の接点部１３ｃ，１３ｃの間隙を介して外側から覆う一対の折り曲げ部１４ｃ，１４ｃが形成されている。折り曲げ部１４ｃ，１４ｃの相対する先端部間には、固定電極に接離する（固定電極に接触したり固定電極から離れたりする）可動電極１８を通過させるための隙間ｇが形成されている。また接圧バネ１４には、そのバネ片１４ｂ，１４ｂのほぼ中間部から折り曲げ部１４ｃ，１４ｃにかけて、スリット１４ｄが入れられ、固定電極１３にもスリット１４ｄとほぼ整合するスリット１３ｄが入れられている。固定電極１３及び接圧バネ１４は、固定電極１３の底板部１３ａと接圧バネの基板部１４ａとを貫通して支持板１２にねじ込まれたボルト１９により共締めされて支持碍子１１に対して固定されている。
【００２９】
消弧室１６は、固定電極１３を接圧バネ１４及びアークホーン１５と共に収容するケース部分１６Ａと、可動電極１８の円弧状通路に沿って配置された消弧部１６Ｂとを有している。消弧部１６Ｂは、ケース部分１６Ａの天井部に突設された板状の消弧部構成ブロック１６B0内に形成されている。図示の消弧部１６Ｂは、固定電極１３に接離する可動電極１８を通過させる円弧状の通路に沿って伸びる円弧状の狭間隙部１６B1と、狭間隙部１６B1の円弧の外周側（可動電極の円弧状通路の外周側）に配置されて狭間隙部１６B1に連通させられた細隙消弧部１６B2とからなっている。可動電極１８の通過を可能にするため、狭間隙部１６B1の隙間は、可動電極１８の板厚よりも僅かに大きく設定されている。
【００３０】
本発明において、細隙消弧部の構成は任意であるが、本実施形態の細隙消弧部１６B2は、図１（Ｂ）に示されているように、狭間隙部１６B1よりも更に狭い間隙からなっている。細隙消弧部１６B2は、円弧状に形成された狭間隙部１６B1の外周側を狭間隙部１６B1とともに円弧状に伸びるように設けられていて、細隙消弧部１６B2の内周部の全体が狭間隙部１６B1内に開口させられている。消弧室１６は、アークにより加熱された際に消弧性を有するガスを発生する絶縁樹脂材料により形成されている。
【００３１】
アーク誘導部材１７は、側板部１７ａ，１７ａと、これらの側板部の一端を連結する連結部１７ｂとを一体に有する断面コの字形の部材で、鉄やフェライト系ステンレス鋼等の強磁性体により形成されている。アーク誘導部材１７は、その側板部１７ａ，１７ａを、消弧部１６Ｂの狭間隙部１６B1及び細隙消弧部１６B2の側方に位置させ、連結部１７ｂを細隙消弧部１６B2の外周側に位置させた状態で、消弧部１６Ｂを構成するブロック１６B0に外側から嵌合されて、側板部１７ａ、１７ａとブロック１６B0とを貫通したボルト２０と、このボルト２０に螺合されたナット２１とによりブロック１６B0に固定されている。
【００３２】
図２に示されているように、アークホーン１５は、角柱状の基部１５ａと基部１５ａの一端から該基部の長手方向に対して直角に折れ曲がったアークホーン本体部１５ｂとを一体に有するＬ字形のアークホーン形成部材１５Ａからなっている。本実施形態では、アークホーン１５が、細隙消弧部１６B2側に片寄せた状態で、接圧バネ１４の先端の折曲げ部１４ｃに溶接により取り付けられている。
【００３３】
図示のアークホーン形成部材１５Ａは、その基部１５ａの長手方向を接圧バネ１４の幅方向（固定電極の幅方向）に向け、アークホーン本体部１５ｂの長手方向を固定電極１３の接点部１３ｃ，１３ｃの対向方向に向けた状態で、可動電極１８の円弧状通路の外周側に寄った位置に配置されて、接圧バネの一方のバネ片１４ｂの先端の折り曲げ部１４ｃの幅方向端部に溶接されている。
【００３４】
なお本明細書では、固定電極１３の接点部１３ｃ，１３ｃの対向方向と固定電極１３の高さ方向（支持碍子の軸線に沿う方向）との双方に対して直角な方向（図２Ｂに示したＷ方向）を固定電極１３の幅方向としている。同様に、接圧バネ１４の折曲げ部１４ｃ，１４ｃの対向方向と接圧バネの高さ方向（支持碍子の軸線に沿う方向）との双方に直角な方向（図２Ｂに示したＷ方向）を接圧バネの幅方向としている。
【００３５】
本実施形態の気中開閉器においては、可動電極１８が固定電極１３から離れた際に可動電極１８と固定電極１３との間に発生したアークＡ（図１Ａ参照）の固定電極側の脚部Ａａを、図１（Ａ）に示すようにアークホーン１５に移行させた後、可動電極１８が固定電極から離れていく過程でアークＡを引き延ばすとともに、アーク電流により発生した磁束をアーク誘導部材１７に流し、この磁束によりアークＡに磁気吸引力を作用させて、アークＡを細隙消弧部１６B2側に引き込む。アークが細隙消弧部内に引き込まれると、消弧室１６を構成する絶縁樹脂がアークにより加熱されることにより発生する消弧性のガスにより、細隙消弧部内のガス圧が急上昇し、細隙消弧部１６B2から狭間隙部１６B1に向けて消弧性のガスが噴出する。アークＡはこのガスにより冷却されて消滅させられる。
【００３６】
本実施形態のように、アークホーン１５を、開閉器の必須の構成要素である接圧バネ１４に固定すると、アークホーンを支持するための支持部材を特別に設ける必要がなく、またアークホーン自体はアークの脚部を保持するために必要最小限の大きさを有していればよいため、固定電極を接圧バネ及びアークホーンと共に収容する消弧室のケース部分１６Ａを小形に構成することができ、細隙消弧型気中開閉器の小形化を図ることができる。
【００３７】
（第２の実施形態）
図３は本発明の第２の実施形態で用いる接圧バネ１４の構成を示したものである。本実施形態では、可動電極の円弧状通路の外周側（細隙消弧部側）に配置されることになる接圧バネ１４の先端の折曲げ部１４ｃの幅方向端部にアークホーン１５が一体に形成されている。
【００３８】
本実施形態では、図３（Ｃ）に示されているように、接圧バネ１４の一方のバネ片１４ｂの先端の折り曲げ部１４ｃの幅方向端部に、該幅方向端部から外側に突出した基部１５ａ′と、基部１５ａ′の先端から他方のバネ片側に直角に折れ曲がったアークホーン本体形成部１５ｂ′とを有するＬ字状のアークホーン形成部１５Ａ′が一体に形成され、接圧バネ１４を曲げ成形する際にこのアークホーン形成部１５Ａ′が、図３（Ｃ）に示された折曲げ線Ｐに沿って固定電極１３と反対側に（細隙消弧部側に）折り曲げられて細隙消弧部側に起立させられることにより、図３（Ａ）及び（Ｂ）に示されたように基部１５ａとアークホーン本体部１５ｂとを有するアークホーン１５が形成されている。図示のアークホーン１５は、そのアークホーン本体部１５ｂが、接圧バネ１４の幅方向に対して直角な方向（アーク誘導部材１７により移動させられるアークの移動方向と直角な方向）に伸びるように形成されている。その他の構成は、図１及び図２に示した実施形態と同様である。
【００３９】
本実施形態のように、接圧バネ１４の先端に一体に形成されて固定電極と反対側に起立させられたアークホーン形成部１５Ａ′によりアークホーン１５を構成するようにした場合にも、接圧バネ１４を製造する段階でアークホーンを形成することができ、開閉器を組み立てる際にアークホーンをネジ止めする作業を必要としないため、開閉器の組立工数の削減を図って、製造コストの低減を図ることができる。
【００４０】
（第３の実施形態）
図４（Ａ），（Ｂ）は、本発明の第３の実施形態の要部を示している。本実施形態では、支持碍子１１の端部に導電材料からなる角柱状の支持部材３０が配置され、この支持部材が支持碍子１１の中心導体（図示せず。）に接続されている。本実施形態で用いている固定電極１３及び接圧バネ１４はそれぞれ、図１及び図２に示した実施形態で用いた固定電極１３及び接圧バネ１４から底板部１３ａ及び基板部１４ａを除いたものに相当する。
【００４１】
固定電極１３は、支持部材３０の幅方向に相対するように配置された一対の電極片１３ｂ，１３ｂからなり、接圧バネ１４は、電極片１３ｂ，１３ｂの外面に添わせて配置された一対のバネ片１４ｂ，１４ｂからなっている。電極片１３ｂ，１３ｂ及びバネ片１４ｂ，１４ｂは、それぞれの基部をネジ３１，３１で支持部材３０に締結することにより支持部材３０に固定されている。固定電極１３を構成する電極片１３ｂ，１３ｂの先端が折り返されることにより、接点部１３ｃ，１３ｃが形成され、接圧バネ１４のバネ片１４ｂ，１４ｂの先端が相手側に直角に折曲げられることにより、折曲げ部１４ｃ，１４ｃが形成されている。
【００４２】
本実施形態では、アークホーン１５が、固定電極１３及び接圧バネ１４の幅方向に沿って伸びるように設けられて、接圧バネ１４の一方のバネ片１４ｂの先端の折曲げ部１４ｃの先端部に溶接された棒状のアークホーン形成部材１５Ａからなっている。
【００４３】
図示してないが、支持部材３０には、図１及び図２に示された実施形態で用いられた消弧室１６と同様の構造を有する消弧室が取り付けられている。
【００４４】
（第４の実施形態）
本発明の第４の実施形態においては、図５に示されたように、接圧バネ１４の一方のバネ片１４ｂの先端の折曲げ部１４ｃの先端部に一体に形成されたアークホーン形成部１５Ａ′を固定電極と反対側に曲げて起立させることにより、固定電極１３及び接圧バネ１４の幅方向（図５の紙面と直角な方向）に沿って伸びる板状のアークホーン１５が形成されている。その他の構成は図４に示した実施形態と同様である。
【符号の説明】
【００４５】
１０  取付金具
１０ａ  ボルト
１１  支持碍子
１２  支持板
１３  固定電極
１３ａ  底板部
１３ｂ  電極片
１３ｃ  接点部
１４  接圧バネ
１４ｂ  バネ片
１４ｃ  折曲げ部
１５  アークホーン
【図１】
2011065925.tif 000003
【図２】
2011065925.tif 000004
【図３】
2011065925.tif 000005
【図４】
2011065925.tif 000006
【図５】
2011065925.tif 000007
【図６】
2011065925.tif 000008